(57)【要約】【課題】少ない工数で簡便に製造することが可能であって、低コスト化できると共に、画像の読み取りを適正に行うことができる有機画像読取装置を得ること。【解決手段】同一基板４上に少なくとも２つの電極と、その電極間に少なくとも電子供与性有機材料および電子受容性有機材料からなる有機光電変換層を有する有機光電変換センサと、ＬＥＤ発光素子３とが形成され、ＬＥＤ発光素子３を用いた光源が少なくともＲ、Ｇ、Ｂの光の３原色に対応する波長の発光を可能とし、各色のＬＥＤ発光素子３の発光時間をずらして切り替えながら読み取りを行い、有機光電変換センサ２の感度に応じてＲ色のＬＥＤ発光素子３の発光強度を強くするように構成している。【選択図】図３
2007088355.tif 000002
【特許請求の範囲】
【請求項１】
基板上に少なくとも２つの電極が設けられ、該電極間に少なくとも電子供与性有機材料と電子受容性有機材料とを含む有機光電変換層を介在させた有機光電変換センサと、
基板上に設けられたＬＥＤ発光素子からなる光源とを備え、
前記光源からの光を読取対象物に照射し、その反射光を前記有機光電変換センサで受光して読取対象物の情報を読み取ることを特徴とする有機画像読取装置。
【請求項２】
前記ＬＥＤ発光素子からなる光源は、少なくともＲ（赤）、Ｇ（緑）、Ｂ（青）の３原色にそれぞれ対応した波長の光を発光可能としたことを特徴とする請求項１に記載の有機画像読取装置。
【請求項３】
前記ＬＥＤ発光素子からなる光源のうち少なくともＲ（赤）、Ｇ（緑）、Ｂ（青）の３原色の切り替えを行い、時間をずらして発光させる切替手段をさらに備えたことを特徴とする請求項１または２に記載の有機画像読取装置。
【請求項４】
前記ＬＥＤ発光素子からなる光源は、少なくともＲ（赤）、Ｇ（緑）、Ｂ（青）の３原色にそれぞれ対応した波長の光を発すると共に、各色の光量が個別に異なるようにしたことを特徴とする請求項１に記載の有機画像読取装置。
【請求項５】
前記ＬＥＤ発光素子からなる光源は、少なくともＲ（赤）、Ｇ（緑）、Ｂ（青）の３原色にそれぞれ対応した波長の光を発すると共に、前記有機光電変換センサの感度の違いに応じてＲ、Ｇ、Ｂのうち特にＲの発光強度を他のＧやＢよりも強くしたことを特徴とする請求項１に記載の有機画像読取装置。
【請求項６】
前記有機光電変換センサと前記ＬＥＤ発光素子からなる光源とを同一基板上に配置したことを特徴とする請求項１に記載の有機画像読取装置。
【発明の詳細な説明】
【技術分野】
【０００１】
本発明は、物体の形状や画像等の各種情報を電気信号として取り出すカラーの有機画像読取装置に関するものである。
【背景技術】
【０００２】
従来から、文字や図形等の各種情報を光により電気情報へと変換する光電変換センサが用いられ、ファクシミリやスキャナ、デジタルカメラ等幅広い製品で使用されている。そして、光電変換方式についてもＭＯＳ（Ｍｅｔａｌ  Ｏｘｉｄｅ  Ｓｅｍｉｃｏｎｄｕｃｔｏｒ）やＣＣＤ（Ｃｈａｒｇｅ−Ｃｏｕｐｌｅｄ  Ｄｅｖｉｃｅｓ）をはじめとする様々なものが用いられている。
【０００３】
この光電変換センサは、光信号を電気信号に変換するための複数の光電変換センサから構成されており、他の光源部やセルフォックレンズ等のレンズ系と組み合わせることにより、ＣＩＳ（Ｃｏｎｔａｃｔ  Ｉｍａｇｅ  Ｓｅｎｓｏｒ）に代表されるような情報読取モジュールを形成している。
【０００４】
従来の光電変換センサには、主に無機のフォトダイオード、フォトコンダクタ、フォトトランジスタやそれらの応用部品等が用いられ、このような無機材料を用いた光電変換センサは、その作製に大掛りな半導体プロセスが必要となり、工数が非常に多くなる上、大面積化が難しいことなどから低コスト化が困難であった。
【０００５】
このため、（非特許文献１）に記載されているように、光電変換部に有機材料を用いることによってコスト削減が試みられている。このように、有機材料を用いた有機光電変換センサは、非常に簡便な方法で形成できるにもかかわらず無機の光電変換センサと同様の機能を発現できることから、非常に注目を集めている素子である。
【０００６】
また、近年の光電変換センサのカラー化に伴って、光電変換センサにＲ（赤）、Ｇ（緑）、Ｂ（青）のカラーフィルタを備えたもの、あるいは、（特許文献１）に記載されているように、３原色のＬＥＤ発光素子を光源として用いている有機画像読取センサなどが開示されている。
【特許文献１】特許第２８７６６９６号公報
【非特許文献１】Ｇ．Ｙｕ，Ｙ．Ｃａｏ，Ｊ．Ｗａｎｇ，Ｊ．ＭｃＥｌｖａｉｎａｎｄ  Ａ．Ｊ．Ｈｅｅｇｅｒ，Ｓｙｎｔｈ．Ｍｅｔ．１０２，９０４（１９９９）
【発明の開示】
【発明が解決しようとする課題】
【０００７】
しかしながら、上記従来の技術によれば、カラー化のためにカラーフィルタを設けると、製造工程が煩雑になってコストアップすると共に、有機光電変換センサは、光電変換効率が低いため、光源の光量を増やさなければならないという問題があった。
【０００８】
そこで、従来のスキャナなどに用いられているキセノンランプを使って光源の光量を増やすこともできるが、装置自体が大きくなると共に、ランプから発生する熱によって光電変換センサの性能が十分に引き出せなくなるという問題があった。
【０００９】
また、（特許文献１）に記載の光電変換センサでは光源としてＬＥＤを用いているものの、撮像素子としてＣＣＤセンサを用いているため、ＣＣＤセンサとＬＥＤを構成した後に基板上で組み合わせることになるので、製造工程が煩雑になるという問題があった。さらに、有機光電変換センサの感度特性は、Ｒ（赤）、Ｇ（緑）、Ｂ（青）の３原色のうち特にＲ色に対する感度が弱いという特徴があることから、そのままでは適正な画像読取を行うことができず、補正処理などを行わなければならないという問題があった。
【００１０】
本発明は、上記に鑑みてなされたものであって、少ない工数で簡便に製造することが可能であって、低コスト化できると共に、画像の読み取りが適正に行える有機画像読取装置を得ることを目的とする。
【課題を解決するための手段】
【００１１】
上記課題を解決するために本発明にかかる有機画像読取装置は、基板上に少なくとも２つの電極と、その電極間に少なくとも電子供与性有機材料と電子受容性有機材料とを含む有機光電変換層を介在させた有機光電変換センサと、基板上に設けられたＬＥＤ発光素子からなる光源とを備え、光源からの光を読取対象物に照射して、その反射光を有機光電変換センサで受光して読取対象物の情報を読み取るようにしたものである。
【発明の効果】
【００１２】
本発明によれば、基板上の２つの電極間に電子供与性有機材料と電子受容性有機材料とを含む有機光電変換層を介在させた有機光電変換センサを形成することにより、少ない工数で簡便に製造することが可能であって、低コスト化することができる。
【００１３】
また、光源として基板上に設けられたＬＥＤ発光素子を用いることにより、有機光電変換センサに適した照明光を容易に得ることができるため、有機光電変換センサによって画像の読み取りを適正に行うことができる。
【発明を実施するための最良の形態】
【００１４】
第１の発明の有機画像読取装置は、基板上に少なくとも２つの電極が設けられ、該電極間に少なくとも電子供与性有機材料と電子受容性有機材料とを含む有機光電変換層を介在させた有機光電変換センサと、基板上に設けられたＬＥＤ発光素子からなる光源とを備え、光源からの光を読取対象物に照射し、その反射光を有機光電変換センサで受光して読取対象物の情報を読み取ることを特徴とする。この構成により、まず、少ない工数で簡便に製造することが可能となり、低コスト化することができる。そしてさらに、有機光電変換センサによる画像の読み取りを適正に行うことができる。
【００１５】
第２の発明の有機画像読取装置は、ＬＥＤ発光素子からなる光源は、少なくともＲ（赤）、Ｇ（緑）、Ｂ（青）の３原色にそれぞれ対応した波長の光を発光可能としたことを特徴とする。この構成により、カラー画像を読み取る際にカラーフィルタが不要となり、製造工程が短縮化されると共に、単純化されて、製造コストを低減することができる。
【００１６】
第３の発明の有機画像読取装置は、ＬＥＤ発光素子からなる光源のうち少なくともＲ（赤）、Ｇ（緑）、Ｂ（青）の３原色の切り替えを行い、時間をずらして発光させる切替手段をさらに備えたことを特徴とする。この構成により、カラー画像を読み取る際にカラーフィルタが不要となり、製造工程が短縮化されると共に、単純化されて、製造コストを低減することができる。
【００１７】
第４の発明の有機画像読取装置は、ＬＥＤ発光素子からなる光源は、少なくともＲ（赤）、Ｇ（緑）、Ｂ（青）の３原色にそれぞれ対応した波長の光を発すると共に、各色の光量が個別に異なるようにしたことを特徴とする。この構成により、カラー画像を読み取る際にカラーフィルタが不要となり、製造工程が短縮化、単純化され、製造コストが低減できると共に、有機光電変換センサによるカラー画像の読み取りを適正に行うことができる。
【００１８】
第５の発明の有機画像読取装置は、ＬＥＤ発光素子からなる光源は、少なくともＲ（赤）、Ｇ（緑）、Ｂ（青）の３原色にそれぞれ対応した波長の光を発すると共に、有機光電変換センサの感度の違いに応じてＲ、Ｇ、Ｂのうち特にＲの発光強度を他のＧやＢよりも強くしたことを特徴とする。この構成により、Ｒ色の光量を他のＧやＢよりも増加させることで、有機光電変換センサにおいて感度が弱いとされるＲ色を光源によって補うことが可能となり、有機光電変換センサの機能を発揮させて、カラー画像の読み取りをより適正に行うことができ、カラーフィルタが不要で製造工程が短縮化、単純化され、製造コストを低減することができる。
【００１９】
第６の発明の有機画像読取装置は、有機光電変換センサとＬＥＤ発光素子からなる光源とを同一基板上に配置したことを特徴とする。この構成により、同一基板上に有機光電変換センサとＬＥＤ発光素子とを設けることで、装置を小型化することができ、カラーフィルタが不要で製造工程が短縮化、単純化され、製造コストを低減することができる。
【００２０】
以下、本発明の有機画像読取装置について詳細に説明する。
【００２１】
本発明の有機画像読取装置に用いられる基板は、電極および有機光電変換センサ（有機光電変換層）およびＬＥＤ発光素子が支持できる機械的、熱的強度を有し、照射光を有効に透過するものであれば特に限定されるものではない。
【００２２】
例えば、ガラス、ポリエチレンテレフタレート、ポリカーボネート、ポリメチルメタクリレート、ポリエーテルスルフォン、ポリフッ化ビニル、ポリプロピレン、ポリエチレン、ポリアクリレート、非晶質ポリオレフィン、フッ素系樹脂等の各種高分子材料、さらにはシリコンウエハーをはじめとする各種金属材料等を用いることができる。
【００２３】
また、本発明の有機光電変換センサを構成する有機光電変換層は、電子供与性有機材料および電子受容性有機材料から構成されている。
【００２４】
ここで構成材料である電子供与性有機材料としては、例えば、フェニレンビニレンおよびその誘導体、フルオレンおよびその誘導体、特に骨格にキノリン基またはピリジン基を有するフルオレン系コポリマー（Ｐ０Ｆ６６、Ｐ１Ｆ６６、ＰＦＰＶ）、フルオレン含有アリールアミンポリマー、カルバゾールおよびその誘導体、インドールおよびその誘導体、ピレンおよびその誘導体、ピロールおよびその誘導体、ピコリンおよびその誘導体、チオフェンおよびその誘導体、アセチレンおよびその誘導体、ジアセチレンおよびその誘導体を繰り返し単位として有する重合体及び他のモノマーとの共重合体、または、デンドリマーとして総称される一群の高分子材料を用いることができる。
【００２５】
また、電子供与性有機材料は、必ずしも高分子材料に限定されるものではなく、例えば
ポルフィン、テトラフェニルポルフィン銅、フタロシアニン、銅フタロシアニン、チタニウムフタロシアニンオキサイド等のポリフィリン化合物や、１，１−ビス｛４−（ジ−Ｐ−トリルアミノ）フェニル｝シクロヘキサン、４，４’，４’’−トリメチルトリフェニルアミン、Ｎ，Ｎ，Ｎ’，Ｎ’−テトラキス（Ｐ−トリル）−Ｐ−フェニレンジアミン、
１−（Ｎ，Ｎ−ジ−Ｐ−トリルアミノ）ナフタレン、４，４’−ビス（ジメチルアミノ）−２−２’−ジメチルトリフェニルメタン、Ｎ，Ｎ，Ｎ’，Ｎ’−テトラフェニル−４，４’−ジアミノビフェニル、Ｎ、Ｎ’−ジフェニル−Ｎ、Ｎ’−ジ−ｍ−トリル−４、４’−ジアミノビフェニル、Ｎ−フェニルカルバゾ−ル等の芳香族第三級アミン、あるいは、４−ジ−Ｐ−トリルアミノスチルベン、４−（ジ−Ｐ−トリルアミノ）−４’−〔４−（ジ−Ｐ−トリルアミノ）スチリル〕スチルベン等のスチルベン化合物、あるいは、トリアゾールおよびその誘導体、オキサジザゾールおよびその誘導体、イミダゾールおよびその誘導体、ポリアリールアルカンおよびその誘導体、ピラゾリンおよびその誘導体、ピラゾロンおよびその誘導体、フェニレンジアミンおよびその誘導体、アニールアミンおよびその誘導体、アミノ置換カルコンおよびその誘導体、オキサゾールおよびその誘導体、スチリルアントラセンおよびその誘導体、フルオレノンおよびその誘導体、ヒドラゾンおよびその誘導体、シラザンおよびその誘導体、ポリシラン系アニリン系共重合体、高分子オリゴマー、スチリルアミン化合物、芳香族ジメチリディン系化合物、ポリ３−メチルチオフェン等を用いることができる。
【００２６】
さらに、電子受容性有機材料としては、１，３−ビス（４−ｔｅｒｔ−ブチルフェニル−１，３，４−オキサジアゾリル）フェニレン（ＯＸＤ-7）等のオキサジアゾールおよびその誘導体、アントラキノジメタンおよびその誘導体、ジフェニルキノンおよびその誘導体、フラーレンおよびその誘導体、特にＰＣＢＭ（［６，６］−ｐｈｅｎｙｌ  Ｃ６１  ｂｕｔｙｒｉｃ  ａｃｉｄ  ｍｅｔｈｙｌ  ｅｓｔｅｒ）カーボンナノチューブおよびその誘導体等を用いることができる。
【００２７】
また、有機光電変換センサに設ける一方の電極には、ＩＴＯやＡＴＯ（ＳｂをドープしたＳｎＯ2）、ＡＺＯ（ＡｌをドープしたＺｎＯ）等を用いることができる。さらに、Ａｌ、Ａｇ、Ａｕ等の金属薄膜といった光透過性の材料で構成することによって光透過性を付与することも可能となり、これにより光透過性の受光部を提供することができる。
【００２８】
また、もう一方の電極には、通常Ａｌ、Ａｇ、Ａｕ等の金属材料を用いることができる。例えば、Ａｌ、Ａｇ、Ａｕ、Ｃｒ、Ｃｕ、Ｉｎ、Ｍｇ、Ｎｉ、Ｓｉ、Ｔｉ等の金属や、Ｍｇ−Ａｇ合金、Ｍｇ−Ｉｎ合金等のＭｇ合金、Ａｌ−Ｌｉ合金、Ａｌ−Ｓｒ合金、Ａｌ−Ｂａ合金等のＡｌ合金等の薄膜を用いることができる。そして、短絡電流の改善を図るため、有機層と陰極との間に金属酸化物、金属フッ化物等の薄膜を導入する手法も好適に用いることができる。さらには、ＩＴＯ、ＡＴＯ、ＡＺＯ等を使用することも可能である。
【００２９】
また必要に応じて電極と有機光電変換層との間にＰＥＤＯＴ：ＰＳＳ（ポリチオフェンとポリスチレンスルホン酸の混合物）等の高分子材料バッファ層として導入する素子構成、あるいはシリコン、チタニア、アルミナ、カーボン、ジルコニアなどの無機物をモレ電流のブロック層として導入する素子構成も好適に用いることができる。
【００３０】
さらに、必要に応じて有機光電変換層と、電極との間にＬｉＦをはじめとする金属フッ化物や酸化物等をバッファ層として導入する素子構成も好適に用いることができる。
【００３１】
なお、本発明の有機光電変換センサは、受光部が一次元上に配置されるラインセンサとしてだけでなく、二次元に配置してエリアセンサとして用いたり、さらにこのエリアセンサを曲げて使用するようにしても勿論よい。
【００３２】
以下、本発明の実施の形態について説明する。
【００３３】
（実施の形態１）
図１は本発明の実施の形態１による有機画像読取装置における有機光電変換センサの断面構成図を、図２（ａ）は本発明の実施の形態１による有機画像読取装置の断面構成図を、図２（ｂ）は図２（ａ）の有機画像読取装置の光源のＲＧＢを積層して縦長状にした断面構成図を、図３は本発明の実施の形態１による有機画像読取装置を用いて原稿のカラー画像情報を読み取る概略構成図を、図４は本発明の実施の形態１による有機画像読取装置内の赤、緑、青ＬＥＤの個別発光を行うための回路概要図を示すものである。
【００３４】
図１において、有機光電変換センサ２は、基板４上に第一電極５、有機光電変換層６、および第二電極７の順に積層され、入力される光信号を電気信号に変換する有機光電変換領域８を形成している。さらに、有機光電変換層６は、電子供与性有機材料９と電子受容性有機材料１０とで構成されている。なお、図１では、構造を説明するため単層の有機光電変換領域８としたが、これらを複数形成した複層からなる有機光電変換領域により有機光電変換センサ２を構成するようにしてもよい。
【００３５】
また、図２（ａ）において、有機画像読取装置１は、図１の有機光電変換センサ２と、光の３原色に対応した波長の光が発光可能な赤色ＬＥＤ３ａ、緑色ＬＥＤ３ｂ、青色ＬＥＤ３ｃからなる光源（ＬＥＤ発光素子）３とが同一の基板４上に形成されて構成されている。このように、多数の赤色ＬＥＤ３ａ、緑色ＬＥＤ３ｂ、青色ＬＥＤ３ｃを組み合わせることで光源３が形成されているため、色別にＬＥＤ発光素子の数を変えるだけで、Ｒ、Ｇ、Ｂ毎の光量を自由に変えることができる。例えば、赤色ＬＥＤ３ａを「１００」とし、緑色ＬＥＤ３ｂと青色ＬＥＤ３ｃとをそれぞれ「５０」と「４０」の割合になるように有機画像読取装置１を作ることで、比較的赤色の感度が弱い有機光電変換センサに適した光源３を得ることができる。もちろん、使用する有機光電変換センサによってＲ、Ｇ、Ｂの感度が異なるため、使用する有機光電変換センサの感度特性に応じて色別にＬＥＤ発光素子の数を変えるようにする。一般的な有機光電変換センサの場合、ＲがＧやＢよりも１／２から１／３程度感度が低いため、２倍から３倍程度大きい光量（発光強度）が必要となる。
【００３６】
さらに、図２（ｂ）における有機画像読取装置１は、図２（ａ）とほぼ同様であるが、光源３を構成する３色のＬＥＤ発光素子３ａ〜３ｃが積層され、縦長状に構成されている点が異なっている。この場合の光量の調整は、ＬＥＤの発光素子面積をＲ、Ｇ、Ｂ毎に変えて作ることによって、光量を色別に自由かつ簡単に変えることができる。
【００３７】
また、図３における有機画像読取装置１は、基板４上に有機光電変換センサ２と赤色ＬＥＤ３ａ、緑色ＬＥＤ３ｂ、青色ＬＥＤ３ｃからなる光源（ＬＥＤ発光素子）３が形成されている。そして、その両者間には、光源３からの光が直接有機光電変換センサ２に入射しないように遮る遮光部１３が設けられ、さらに、光源３から発せられた光が原稿ガラス１４を介して原稿１５に照射され、その反射光を有機光電変換センサ２上に結像させるレンズ１２と、有機光電変換センサ２に入力された光信号を電気信号に変換した画像情報を順次読み込む駆動回路素子１１とが設けられている。
【００３８】
また、図４に示すように、駆動回路素子１１の内部には、３色のＬＥＤ発光素子３ａ〜３ｃに供給する電源１１２を順番に切り替えて発光させることのできる切替手段としての切替部１１１を具備している。この切替部１１１によるＬＥＤ発光素子の切替タイミングは、駆動回路素子１１が読み込む画像情報と同期させることにより、カラー原稿の赤、緑、青の画像情報を順次読み取ることができるため、カラーフィルタを使うことなくカラー画像を読み取ることが可能となる。
【００３９】
また、図２（ａ）、図２（ｂ）、および図３では、有機光電変換センサ２と光源３とを同一基板４上に配置するようにしたため、省スペース化が可能となり、非常に小型の有機画像読取装置を提供することができる。
【実施例】
【００４０】
まず、有機光電変換センサ２の実施例を図１を参照しながら説明する。無アルカリガラス基板（基板４）上にスパッタリング法によって膜厚１６０ｎｍのＩＴＯ膜（第一電極５）を形成した後、ＩＴＯ膜上にレジスト材をスピンコート法により塗布して厚さ１０μｍのレジスト膜を形成し、マスク、露光、現像工程を経て、レジスト膜を所定の形状にパターニングする。
【００４１】
次いで、このガラス基板４を５０％の塩酸中に浸漬することで、レジスト膜が形成されていない部分のＩＴＯ膜をエッチングした後、レジスト膜も除去して、パターニングされたＩＴＯ膜５を形成する。
【００４２】
さらに、この基板４を純水による１０分間の超音波洗浄、界面活性剤（例えば、ＰＤ−６、米オーカイト社）による５分間の超音波洗浄、純水による１０分間の超音波洗浄を行った後、窒素ブロアーでガラス基板に付着した水分を除去する。
【００４３】
そして、基板４面にポリ（３，４）エチレンジオキシチオフェン／ポリスチレンスルフォネート（ＰＥＤＴ／ＰＳＳ）を０．４５μｍのフィルターを通して滴下し、スピンコート法によって均一に塗布する。これを２００℃のクリーンオーブン中で３０分間加熱することによりバッファ層を形成する。
【００４４】
次いで、ポリ（２−メトキシ−５−（２’−エチルヘキシルオキシ）−１，４−フェニレンビニレン）（ＭＥＨ−ＰＰＶ）と［６，６］−フェニル  Ｃ６１  ブチリックアシッドメチルエステル（［６，６］−ＰＣＢＭ）との重量比１：４のクロロベンゼン溶液をスピンコートにて塗布する。
【００４５】
そして、それを１００℃のクリーンオーブン中で３０分間加熱処理して、約１００ｎｍの有機光電変換層６を形成する。
【００４６】
次いで、０．２７ｍＰａ（＝２×１０-6Ｔｏｒｒ）以下の真空度まで減圧した抵抗加熱蒸着装置内にてＡｌ（第二電極７）を約１００ｎｍの膜厚で成膜する。
【００４７】
最後に、このＡｌ（第二電極７）の上部に光硬化性エポキシ樹脂にて図示しないガラス板を接着することにより、水分の進入が抑えられる有機光電変換センサ２を得ることができる。
【００４８】
次に、光源３の実施例を図２（ａ）および図２（ｂ）を参照しながら説明する。まず、図２（ａ）に示すように、ガラス基板４上に、上記有機光電変換センサ２を形成した後、さらにその上に光源３として赤色ＬＥＤ３ａ、緑色ＬＥＤ３ｂ、青色ＬＥＤ３ｃをそれぞれの色の光量に応じた数だけ形成する。また、図２（ｂ）の場合は、ガラス基板４上に形成する赤色ＬＥＤ３ａ、緑色ＬＥＤ３ｂ、青色ＬＥＤ３ｃをそれぞれの色の光量に応じた発光面積が得られるよう形成する。これらの赤色ＬＥＤ３ａ、緑色ＬＥＤ３ｂ、青色ＬＥＤ３ｃからなる光源３の上にもガラス板を接着することにより、水分の進入を抑えることが可能な有機画像読取装置１を得ることができる。このように、本実施例では有機光電変換センサ２と光源３とを同一基板上に設けることで、有機画像読取装置１を小型化することができる。しかし、製造プロセスによって同一基板上に作れない場合、あるいは、光学系の調整が難しい場合については、別々の基板に形成し、それらを組み合わせて有機画像読取装置１を製造するようにしても勿論よい。
【００４９】
続いて、図３の有機画像読取装置１を用いてカラー原稿の画像読取動作を説明する。図３に示すように、光源３を構成する赤色ＬＥＤ３ａ、緑色ＬＥＤ３ｂ、青色ＬＥＤ３ｃを
図４の切替部１１１を用いて時間をずらして発光させる。赤、緑、青のＬＥＤ発光素子の光が順番に原稿ガラス１４面に置かれた原稿１５に照射され、その反射光がレンズ１２を通って有機光電変換センサ２上に結像され、光信号が電気信号に変換された色別の画像情報が駆動回路素子１１に順次読み込まれる。その際、ＬＥＤ光源の発光タイミングと読み込まれた画像情報とを同期させることにより、カラーフィルタを使わずにカラー原稿の赤、緑、青の画像情報を別々に読み取ることができる。
【００５０】
また、本実施例の有機画像読取装置１では、無機材料からなる光電変換センサよりも製造プロセスが簡単で、低コスト化できる有機光電変換センサを用いた点に特徴があるが、色によって感度特性が異なる点を克服するため、光源３に光量調整が比較的簡単に行える３原色のＬＥＤ発光素子を用いたので、使用する有機光電変換センサの感度特性に応じて適正にカラー画像を読み取ることができる。
【００５１】
以上のように本実施例では、有機材料を使った光電変換センサと、赤、緑、青の３原色に対応した波長を持つＬＥＤ発光素子とを用いているため、少ない工数で簡便に製造することによって、低コスト化できると共に、適正なカラー画像の読み取りを行うことができる。
【００５２】
また、本実施例では、赤、緑、青の３原色のＬＥＤ発光素子を切替部１１１を用いて切り替えながら時間をずらして発光させ、その反射光を有機光電変換センサ２により順次読み取るため、カラーフィルタが不要となり、より製造コストが低減できると共に、光電変換効率を上げることができる。
【００５３】
さらに、本実施例では、赤、緑、青の３原色のＬＥＤ発光素子の数、あるいは、発光面積を変えるだけで、容易に光源の光量調整が行えるため、色によって感度特性が異なる有機光電変換センサ２を用いたとしても、適正にカラー画像の読み取りを行うことができる。特に、有機光電変換センサ２は、赤の感度が低いため、それに応じて赤の発光強度のみを上げることも可能である。
【００５４】
また、本実施例では、光電変換センサと、赤、緑、青の３原色に対応した波長を持つＬＥＤ発光素子を同一基板上に設けたため、装置を小型化することができる。
【産業上の利用可能性】
【００５５】
以上のように、本発明にかかる有機画像読取装置は、物体の形状や画像等の各種情報を電気信号として取り出すスキャナやファックスなどに有用であり、特に、カラースキャナやカラーファックスなどへの利用が適している。
【図面の簡単な説明】
【００５６】
【図１】本発明の実施の形態１による有機画像読取装置における有機光電変換センサの断面構成図
【図２】（ａ）本発明の実施の形態１による有機画像読取装置の断面構成図、（ｂ）（ａ）の有機画像読取装置の光源のＲＧＢを積層して縦長状にした断面構成図
【図３】本発明の実施の形態１による有機画像読取装置を用いて原稿のカラー画像情報を読み取る概略構成図
【図４】本発明の実施の形態１による有機画像読取装置内の赤、緑、青ＬＥＤの個別発光を行うための回路概要図
【符号の説明】
【００５７】
１    有機画像読取装置
２    有機光電変換センサ
３    光源（ＬＥＤ発光素子）
４    基板
５    第一電極
６    有機光電変換層
７    第二電極
８    有機光電変換領域
９    電子供与性有機材料
１０    電子受容性有機材料
１１    駆動回路素子
１２    レンズ
１３    遮光部
１４    原稿ガラス
１５    原稿
１１１    切替部
１１２    電源
【図１】
2007088355.tif 000003
【図２】
2007088355.tif 000004
【図３】
2007088355.tif 000005
【図４】
2007088355.tif 000006